(57)【要約】【課題】帯電粒子が電磁界の影響を受けた場合に、像の乱れを修正することが可能な電気泳動表示装置を提供する。【解決手段】表示装置に設けられている電界センサより電界強度が取得され（Ｓ２５）、取得された電界強度が所定閾値（ＴＨ１）以上である場合には（Ｓ２７：ＹＥＳ）、表示部に形成されている像を構成する帯電粒子が電界の影響により移動してしまい、像が乱されてしまっている可能性があると判断される。このような場合には、Ｔ１時間待機した後（Ｓ３１：ＹＥＳ）、再度電界強度が取得され（Ｓ３３）、取得された電界強度が所定閾値（ＴＨ２）以下となっているかが判断される。ＴＨ２以下となっている場合には（Ｓ３５：ＹＥＳ）、外来電界の強度が小さくなり、像が乱される可能性が小さくなったと判断され、表示中の像を再形成させるために、電極に電圧を印加する再描画処理が実行される（Ｓ４１）。【選択図】図８
2010139667.tif 000002
【特許請求の範囲】
【請求項１】
第一電極を有する第一基板と、第二電極を有し前記第一基板と対向して配置される第二基板と、前記第一基板と前記第二基板との間に充填される分散媒であって、前記第一電極と前記第二電極との間に発生する電界の方向に応じて移動する複数の帯電粒子が分散された前記分散媒とから構成される電気泳動表示パネルと、
前記第一電極及び前記第二電極に対して電圧を印加し、所望位置に電界を発生させて前記分散媒を移動させることにより、像を形成させる像形成手段と、
電界及び磁界のうち少なくとも一方を検出可能なセンサと、
前記センサにて検出された前記電界及び前記磁界のうち少なくとも一方を取得する取得手段と、
前記取得手段にて取得された前記電界及び前記磁界のうち少なくとも一方の強度である検出強度が、前記電界及び前記磁界の其々に対応する閾値として定められる第一閾値以上であるかを判断する第一判断手段と、
前記第一判断手段において、前記検出強度が前記第一閾値以上であると判断された場合に、前記像形成手段にて電界を発生させた前記所望位置と同位置に対して再度電界を発生させるために、前記第一電極及び前記第二電極に対して電圧を印加する再描画動作を実行する再描画手段と
を備えた電気泳動表示装置。
【請求項２】
前記第一判断手段にて前記検出強度が前記第一閾値以上であると判断された後、前記検出強度が、前記第一閾値よりも小さい所定の閾値であって前記電界及び前記磁界の其々に対応する閾値として定められる第二閾値以下となるかを判断する第二判断手段を備え、
前記再描画手段は、
前記第二判断手段にて前記検出強度が前記第二閾値以下となったと判断された場合に、前記再描画動作を実行することを特徴とする請求項１に記載の電気泳動表示装置。
【請求項３】
前記第二判断手段は、
前記第一判断手段にて前記検出強度が前記第一閾値以上であると判断されてから所定の第一時間の経過後に、前記検出強度が前記第二閾値以下となるかを判断することを特徴とする請求項２に記載の電気泳動表示装置。
【請求項４】
前記センサと、前記電気泳動表示パネルの所定領域とを対応付けて記憶する記憶手段を備え、
前記再描画手段は、
前記第一判断手段における判断の基とされた前記電界及び前記磁界のうち少なくとも一方が検出された前記センサに対応付けられている前記所定領域を特定し、特定された前記所定領域の前記再描画動作を実行することを特徴とする請求項１に記載の電気泳動表示装置。
【請求項５】
前記センサと、前記電気泳動表示パネルの所定領域とを対応付けて記憶する記憶手段を備え、
前記再描画手段は、
前記第一判断手段、及び前記第二判断手段の少なくとも一における判断の基とされた前記電界及び前記磁界のうち少なくとも一方が検出された前記センサに対応付けられている前記所定領域を特定し、特定された前記所定領域の前記再描画動作を実行することを特徴とする請求項２又は３に記載の電気泳動表示装置。
【請求項６】
前記第一判断手段にて前記検出強度が前記第一閾値以上であると判断されてから所定の第二時間の経過後に、前記検出強度が、前記第一閾値よりも小さい所定の閾値であって前記電界及び前記磁界の其々に対応する閾値として定められる第三閾値以上となるかを判断する第三判断手段と、
前記第三判断手段にて前記検出強度が前記第三閾値以上となったと判断された場合に、前記複数の帯電粒子を前記分散媒中で均一分散させるために、前記第一電極及び前記第二電極に電圧を印加し、発生する電界の方向を所定のタイミングで交互に切り替えながら、前記分散媒に対して電界を発生させるリフレッシュ動作を実行するリフレッシュ手段と
を備えたことを特徴とする請求項１乃至３のいずれかに記載の電気泳動表示装置。
【請求項７】
前記センサと、前記電気泳動表示パネルの所定領域とを対応付けて記憶する記憶手段を備え、
前記再描画手段は、
前記第一判断手段における判断の基とされた前記電界及び前記磁界のうち少なくとも一方が検出された前記センサに対応付けられている前記所定領域を特定し、特定された前記所定領域の前記再描画動作を実行することを特徴とする請求項６に記載の電気泳動表示装置。
【請求項８】
前記センサと、前記電気泳動表示パネルの所定領域とを対応付けて記憶する第一記憶手段を備え、
前記リフレッシュ手段は、
前記第三判断手段における判断の基とされた前記電界及び前記磁界のうち少なくとも一方が検出された前記センサに対応付けられている前記所定領域を特定し、特定された前記所定領域の前記リフレッシュ動作を実行することを特徴とする請求項６又は７に記載の電気泳動表示装置。
【請求項９】
前記センサにて検出された前記電界及び前記磁界のうち少なくとも一方の所定帯域成分を除去する帯域除去手段を備え、
前記取得手段は、
前記帯域除去手段にて前記所定帯域成分が除去された前記電界及び前記磁界のうち少なくとも一方を取得することを特徴とする請求項１乃至８のいずれかに記載の電気泳動表示装置。
【請求項１０】
前記センサは、前記電気泳動表示パネルに設けられることを特徴とする請求項１乃至９のいずれかに記載の電気泳動表示装置。
【請求項１１】
前記センサは、前記第一基板又は前記第二基板のうち、ユーザにより直接視認されない側の基板表面に設けられることを特徴とする請求項１０に記載の電気泳動表示装置。
【請求項１２】
前記電気泳動表示パネルの周縁部分に額状の枠部が設けられており、
前記センサは、前記枠部に設けられることを特徴とする請求項１乃至９のいずれかに記載の電気泳動表示装置。
【請求項１３】
前記再描画手段による前記再描画動作の実行の許否の設定を入力する入力手段を備え、
前記再描画手段は、
前記入力手段にて前記再描画動作の実行が禁止されている場合には、前記再描画動作を実行しないことを特徴とする請求項１乃至１２のいずれかに記載の電気泳動表示装置。
【請求項１４】
前記像形成手段により所定画像が形成されているか否を判断する所定画像形成判断手段を備え、
前記再描画手段は、
前記所定画像形成判断手段にて前記所定画像が形成されていると判断された場合には、前記再描画動作を実行しないことを特徴とする請求項１乃至１３のいずれかに記載の電気泳動表示装置。
【請求項１５】
前記検出強度が連続して、所定の閾値であって前記電界及び前記磁界の其々に対応する閾値として定められる第四閾値以上となっている場合における、前記第四閾値以上である間の時間を計測する計測手段と、
前記検出強度、及び、前記計測手段にて計測された時間のうち少なくとも一方に基づき、前記再描画手段にて印加される電圧レベル及び印加時間のうち少なくとも一方を変更する変更手段と
を備えたことを特徴とする請求項１乃至１４のいずれかに記載の電気泳動表示装置。
【発明の詳細な説明】
【技術分野】
【０００１】
本発明は電気泳動表示装置に関する。より詳細には、外来雑音を検出して再描画処理を行う電気泳動表示装置に関する。
【背景技術】
【０００２】
一般に、電気泳動現象を利用して画像を表示する電気泳動表示装置が知られている。この電気泳動表示装置では、表示基板と、それに対向配置される背面基板とにより、周囲のギャップスペーサを介して所定間隔を設けた密閉空間が形成される。そして、着色された球状粒子である帯電粒子が分散された着色液体又は気体からなる分散媒が密閉空間に充填されて表示部が形成される。
【０００３】
このような構成のもと、例えば、黒色液体からなる分散媒中に白色の帯電粒子が分散された電気泳動表示装置においては、２つの基板から表示部に電界を発生させることで、分散媒中の帯電粒子を表示基板側に移動させる。そして、帯電粒子の白色を表示基板の表面に表示させたり、又は帯電粒子を背面基板側に移動させて、分散媒の黒色を表示基板の表面に表示させたりして、所望の画像が得られる。
【０００４】
帯電粒子は、周囲温度や電磁界などの周囲の環境の影響を受ける。この影響により、形成中の画像の画質が劣化し易くなることが知られている。例えば黒色液体からなる分散媒中に白色の帯電粒子が分散された電気泳動表示装置において、温度が高くなると、白色を表示している画素が灰色に変色してしまう現象が起こり易くなる。これに対し、温度センサにより計測された温度に基づいてリフレッシュ動作のタイミングを決定し、リフレッシュ動作を行うことにより、温度の影響を受けて画素が灰色に変色してしまうことを防止することが可能な電気泳動表示装置が提案されている（特許文献１参照）。
【特許文献１】特開２００７−１８７９３６号公報
【発明の開示】
【発明が解決しようとする課題】
【０００５】
しかしながら、上述の電気泳動表示装置では、電磁界の影響を受けて帯電粒子が移動してしまい像が乱れてしまうという問題点があった。
【０００６】
本発明は上述の問題点を解決するためになされたものであり、帯電粒子が電磁界の影響を受けた場合に、像の乱れを修正することが可能な電気泳動表示装置を提供することを目的とする。
【課題を解決するための手段】
【０００７】
上述の問題点を解決するために、請求項１に係る発明の電気泳動表示装置は、第一電極を有する第一基板と、第二電極を有し前記第一基板と対向して配置される第二基板と、前記第一基板と前記第二基板との間に充填される分散媒であって、前記第一電極と前記第二電極との間に発生する電界の方向に応じて移動する複数の帯電粒子が分散された前記分散媒とから構成される電気泳動表示パネルと、前記第一電極及び前記第二電極に対して電圧を印加し、所望位置に電界を発生させて前記分散媒を移動させることにより、像を形成させる像形成手段と、電界及び磁界のうち少なくとも一方を検出可能なセンサと、前記センサにて検出された前記電界及び前記磁界のうち少なくとも一方を取得する取得手段と、前記取得手段にて取得された前記電界及び前記磁界のうち少なくとも一方の強度である検出強度が、前記電界及び前記磁界の其々に対応する閾値として定められる第一閾値以上であるかを判断する第一判断手段と、前記第一判断手段において、前記検出強度が前記第一閾値以上であると判断された場合に、前記像形成手段にて電界を発生させた前記所望位置と同位置に対して再度電界を発生させるために、前記第一電極及び前記第二電極に対して電圧を印加する再描画動作を実行する再描画手段とを備えている。
【０００８】
また、請求項２に係る発明の電気泳動表示装置は、請求項１に記載の発明の構成に加えて、前記第一判断手段にて前記検出強度が前記第一閾値以上であると判断された後、前記検出強度が、前記第一閾値よりも小さい所定の閾値であって前記電界及び前記磁界の其々に対応する閾値として定められる第二閾値以下となるかを判断する第二判断手段を備え、前記再描画手段は、前記第二判断手段にて前記検出強度が前記第二閾値以下となったと判断された場合に、前記再描画動作を実行することを特徴とする。
【０００９】
また、請求項３に係る発明の電気泳動表示装置は、請求項２に記載の発明の構成に加えて、前記第二判断手段は、前記第一判断手段にて前記検出強度が前記第一閾値以上であると判断されてから所定の第一時間の経過後に、前記検出強度が前記第二閾値以下となるかを判断することを特徴とする。
【００１０】
また請求項４に係る発明の電気泳動表示装置は、請求項１に記載の発明の構成に加えて、前記センサと、前記電気泳動表示パネルの所定領域とを対応付けて記憶する記憶手段を備え、前記再描画手段は、前記第一判断手段における判断の基とされた前記電界及び前記磁界のうち少なくとも一方が検出された前記センサに対応付けられている前記所定領域を特定し、特定された前記所定領域の前記再描画動作を実行することを特徴とする。
【００１１】
また、請求項５に係る発明の電気泳動表示装置は、請求項２又は３に記載の発明の構成に加えて、前記センサと、前記電気泳動表示パネルの所定領域とを対応付けて記憶する記憶手段を備え、前記再描画手段は、前記第一判断手段、及び前記第二判断手段の少なくとも一における判断の基とされた前記電界及び前記磁界のうち少なくとも一方が検出された前記センサに対応付けられている前記所定領域を特定し、特定された前記所定領域の前記再描画動作を実行することを特徴とする。
【００１２】
また、請求項６に係る発明の電気泳動表示装置は、請求項１乃至３のいずれかに記載の発明の構成に加えて、前記第一判断手段にて前記検出強度が前記第一閾値以上であると判断されてから所定の第二時間の経過後に、前記検出強度が、前記第一閾値よりも小さい所定の閾値であって前記電界及び前記磁界の其々に対応する閾値として定められる第三閾値以上となるかを判断する第三判断手段と、前記第三判断手段にて前記検出強度が前記第三閾値以上となったと判断された場合に、前記複数の帯電粒子を前記分散媒中で均一分散させるために、前記第一電極及び前記第二電極に電圧を印加し、発生する電界の方向を所定のタイミングで交互に切り替えながら、前記分散媒に対して電界を発生させるリフレッシュ動作を実行するリフレッシュ手段とを備えている。
【００１３】
また、請求項７に係る発明の電気泳動表示装置は、請求項６に記載の発明の構成に加えて、前記センサと、前記電気泳動表示パネルの所定領域とを対応付けて記憶する記憶手段を備え、前記再描画手段は、前記第一判断手段における判断の基とされた前記電界及び前記磁界のうち少なくとも一方が検出された前記センサに対応付けられている前記所定領域を特定し、特定された前記所定領域の前記再描画動作を実行することを特徴とする。
【００１４】
また、請求項８に係る発明の電気泳動表示装置は、請求項６又は７に記載の発明の構成に加えて、前記センサと、前記電気泳動表示パネルの所定領域とを対応付けて記憶する第一記憶手段を備え、前記再描画手段は、前記第三判断手段における判断の基とされた前記電界及び前記磁界のうち少なくとも一方が検出された前記センサに対応付けられている前記所定領域を特定し、特定された前記所定領域の前記リフレッシュ動作を実行することを特徴とする。
【００１５】
また、請求項９に係る発明の電気泳動表示装置は、請求項１乃至８のいずれかに記載の発明の構成に加えて、前記センサにて検出された前記電界及び前記磁界のうち少なくとも一方の所定帯域成分を除去する帯域除去手段を備え、前記取得手段は、前記帯域除去手段にて前記所定帯域成分が除去された前記電界及び前記磁界のうち少なくとも一方を取得することを特徴とする。
【００１６】
また、請求項１０に係る発明の電気泳動表示装置は、請求項１乃至９のいずれかに記載の発明の構成に加えて、前記センサは、前記電気泳動表示パネルに設けられることを特徴とする。
【００１７】
また、請求項１１に係る発明の電気泳動表示装置は、請求項１０に記載の発明の構成に加えて、前記センサは、前記第一基板又は前記第二基板のうち、ユーザにより直接視認されない側の基板表面に設けられることを特徴とする。
【００１８】
また、請求項１２に係る発明の電気泳動表示装置は、請求項１乃至９のいずれかに記載の発明の構成に加えて、前記電気泳動表示パネルの周縁部分に額状の枠部が設けられており、前記センサは、前記枠部に設けられることを特徴とする。
【００１９】
また、請求項１３に係る発明の電気泳動表示装置は、請求項１乃至１２のいずれかに記載の発明の構成に加えて、前記再描画手段による前記再描画動作の実行の許否の設定を入力する入力手段を備え、前記再描画手段は、前記入力手段にて前記再描画動作の実行が禁止されている場合には、前記再描画動作を実行しないことを特徴とする。
【００２０】
また、請求項１４に係る発明の電気泳動表示装置は、請求項１乃至１３のいずれかに記載の発明の構成に加えて、前記像形成手段により所定画像が形成されているか否を判断する所定画像形成判断手段を備え、前記再描画手段は、前記所定画像形成判断手段にて前記所定画像が形成されていると判断された場合には、前記再描画動作を実行しないことを特徴とする。
【００２１】
また、請求項１５に係る発明の電気泳動表示装置は、請求項１乃至１４のいずれかに記載の発明の構成に加えて、前記検出強度が連続して、所定の閾値であって前記電界及び前記磁界の其々に対応する閾値として定められる第四閾値以上となっている場合における、前記第四閾値以上である間の時間を計測する計測手段と、前記検出強度、及び、前記計測手段にて計測された時間のうち少なくとも一方に基づき、前記再描画手段にて印加される電圧レベル及び印加時間のうち少なくとも一方を変更する変更手段とを備えている。
【発明の効果】
【００２２】
請求項１に係る発明の電気泳動表示装置では、電気泳動型の表示パネルを有する電気泳動表示装置に対して、電界や磁界などの外来雑音が照射された場合、分散媒が移動してしまって、電気泳動表示パネルに形成中の像が乱れてしまうという不具合が発生する可能性がある。本発明では、外来雑音を検出する為のセンサを備えている。そしてセンサが外来雑音を検出し、その雑音強度が第一閾値以上となった場合に、電気泳動表示パネルに形成中の像を再度形成させるために、第一電極及び第二電極に電圧を印加する再描画動作を行う。これにより、外来雑音による像の乱れを修正することが可能となるので、常に鮮明な像を表示させることが可能となる。
【００２３】
また、請求項２に係る発明の電気泳動表示装置では、請求項１に記載の発明の効果に加えて、外来雑音の影響が小さくなるまで待機した後、再描画を行うので、再描画後の像が外来雑音の影響を受けて乱れてしまうことを防止し、像を鮮明に保持させることが可能となる。
【００２４】
また、請求項３に係る発明の電気泳動表示装置では、請求項２に記載の発明の効果に加えて、外来雑音を受けている時間が短時間である場合には、形成中の像に及ぼす影響が小さいので、再描画動作を行わないようにすることが可能となる。これにより、再描画動作の実行回数を削減して消費電力を抑制し、効率的に再描画を行うことが可能となる。
【００２５】
また、請求項４に係る発明の電気泳動表示装置では、請求項１に記載の発明の効果に加えて、例えばセンサを複数配置させる。そして其々のセンサと、配置部分の近傍領域とを対応付ける。センサが外来雑音を検出した場合、対応付けられている近傍領域の再描画動作のみを行う。これにより、外来雑音の影響を受け形成中の像が乱れている可能性が高い領域を特定し、特定された領域のみ再描画動作を行うことが可能となる。従って、すべての領域の再描画動作を一度に行う場合と比較し、消費電力を抑制して効率的に再描画動作を行うことが可能となるとともに、乱れてしまった像を効率的に修正することが可能となる。
【００２６】
また、請求項５に係る発明の電気泳動表示装置では、請求項２又は３に記載の発明の効果に加えて、例えばセンサを複数配置させる。そして其々のセンサと、配置部分の近傍領域とを対応付ける。センサが外来雑音を検出した場合、対応付けられている近傍領域の再描画動作のみを行う。これにより、外来雑音の影響を受け形成中の像が乱れている可能性が高い領域を特定し、特定された領域のみ再描画動作を行うことが可能となる。従って、すべての領域の再描画動作を一度に行う場合と比較し、消費電力を抑制して効率的に再描画動作を行うことが可能となるとともに、乱れてしまった像を効率的に修正することが可能となる。
【００２７】
また、請求項６に係る発明の電気泳動表示装置では、請求項１乃至３のいずれかに記載の発明の効果に加えて、外来雑音を長時間受けている場合には、形成中の像に大きな乱れが発生しているものと想定されるので、このような場合には、リフレッシュ動作を行いコントラストをはっきりさせる。これにより、長時間外来雑音を受けた場合であっても、鮮明な像を表示させることが可能となる。
【００２８】
また、請求項７に係る発明の電気泳動表示装置では、請求項６に記載の発明の効果に加えて、例えばセンサを複数配置させる。そして其々のセンサと、配置部分の近傍領域とを対応付ける。センサが外来雑音を検出した場合、対応付けられている近傍領域の再描画動作のみを行う。これにより、外来雑音の影響を受け形成中の像が乱れている可能性が高い領域を特定し、特定された領域のみ再描画動作を行うことが可能となる。従って、すべての領域の再描画動作を一度に行う場合と比較し、消費電力を抑制して効率的に再描画動作を行うことが可能となるとともに、乱れてしまった像を効率的に修正することが可能となる。
【００２９】
また、請求項８に係る発明の電気泳動表示装置では、請求項６又は７に記載の発明の効果に加えて、例えばセンサを複数配置させる。そして其々のセンサと、配置部分の近傍領域とを対応付ける。センサが外来雑音を検出した場合、対応付けられている近傍領域のリフレッシュ動作のみを行う。これにより、外来雑音の影響を受け形成中の像が乱れている可能性が高い領域を特定し、特定された領域のみリフレッシュ動作を行うことが可能となる。従って、すべての領域のリフレッシュ動作を一度に行う場合と比較し、消費電力を抑制して効率的にリフレッシュ動作を行うことが可能となる。
【００３０】
また、請求項９に係る発明の電気泳動表示装置では、請求項１乃至８のいずれかに記載の発明の効果に加えて、形成中の像に影響を及ぼす可能性が高い周波数の外来雑音のみを検出する。これにより、影響を及ぼす可能性が低い周波数の外来雑音が照射された場合に再描画動作を行わないようにすることが可能となるので、再描画動作の実行回数を削減して消費電力を抑制し、効率的に再描画を行うことが可能となる。
【００３１】
また、請求項１０に係る発明の電気泳動表示装置では、請求項１乃至９のいずれかに記載の発明の効果に加えて、外来雑音の影響を直接受ける電気泳動表示パネルにセンサを取り付けることにより、直接分散媒に影響を及ぼす可能性のある外来雑音を正確に検出することが可能となるので、的確に外来雑音を検出して再描画動作を実行することが可能となる。
【００３２】
また、請求項１１に係る発明の電気泳動表示装置では、請求項１０に記載の発明の効果に加えて、センサを電気泳動表示パネルの裏側（ユーザによる視認側と反対側）に配置する。これにより、センサが形成中の像の邪魔になって視認性を悪化させることなく、電気泳動表示パネルに照射される外来雑音を検出することが可能となる。
【００３３】
また、請求項１２に係る発明の電気泳動表示装置では、請求項１乃至９のいずれかに記載の発明の効果に加えて、電気泳動表示パネルに重ならないようにセンサを配置することが可能となるので、センサが形成中の像の邪魔になって視認性を悪化させてしまうことを防止することが可能となる。
【００３４】
また、請求項１３に係る発明の電気泳動表示装置では、請求項１乃至１２のいずれかに記載の発明の効果に加えて、再描画動作を禁止可能とすることにより、再描画動作に要する消費電力を抑制することが可能となる。
【００３５】
また、請求項１４に係る発明の電気泳動表示装置では、請求項１乃至１３のいずれかに記載の発明の効果に加えて、形成中の像が全面白や全面黒となっている場合や、初期状態となっている場合には、ユーザにより視認されている可能性が低いので、外来雑音により像が乱れても何ら支障がない。そこでこのような場合に再描画動作を行わないようにすることによって、再描画動作に要する消費電力を抑制することが可能となる。
【００３６】
また、請求項１５に係る発明の電気泳動表示装置では、請求項１乃至１４のいずれかに記載の発明の効果に加えて、外来雑音の強度や照射時間により、形成中の像に対して及ぼす影響は異なることが想定される。そこで、外来雑音が及ぼす影響度合に応じ、再描画動作時の印加電圧レベルや印加時間を変更する。これにより、像の乱れを修正するために最適な再描画動作を実行することが可能となる。
【発明を実施するための最良の形態】
【００３７】
以下、本発明に係る電気泳動表示装置を具現化した画像表示装置１について、図面を参照して説明する。なおこれらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００３８】
まず、本実施の形態の画像表示装置１の物理的構成の概略について、図面を参照して説明する。図１は、画像表示装置１の斜視図である。図２は、表示パネル１３の一部分を拡大した正面図である。図３は、表示パネル１３のＡ−Ａ線（図２）における矢視方向断面図である。図４は、表示パネル１３のＢ−Ｂ線（図２）における矢視方向断面図である。図３及び図４の上側が画像表示装置１の正面側に相当し、下側が画像表示装置１の背面側に相当する。図２におけるＡ−Ａ線は、表示パネル１３の横方向（図２の左右方向）に平行な線を示し、Ｂ−Ｂ線は、縦方向（図２の上下方向）に平行な線を示す。
【００３９】
図１を参照し、画像表示装置１の物理的構成について概説する。図１に示すように、画像表示装置１は、全体として略直方体形状を有している。画像表示装置１の正面には、正面視縦長形状の表示部３と、表示部３の周囲を覆う額状の枠部２とが設けられている。枠部２の右辺部分には、複数の操作ボタン１８が設けられる。表示部３には、ユーザにより操作ボタン１８を介して選択された像（文字、画像など）が形成される。枠部２の各辺部分には、電界の強度を検出可能なセンサ２１〜２４（詳細後述）が其々設けられる。具体的には、枠部２のうち上辺部分の左右方向略中央にセンサ２１が設けられる。左辺部分の上下方向略中央にセンサ２２が設けられる。下辺部分の左右方向略中央にセンサ２３が設けられる。右辺部分の上下方向略中央にセンサ２４が設けられる。
【００４０】
センサ２１〜２４は、画像表示装置１に対して外部より照射される電界の強度（電界強度）を計測することが可能な、所謂電界センサである。センサ２１〜２４としては、電界強度を計測可能な従来周知の電界センサが使用可能である。例えば、小形のダイポールアンテナを備えた電界センサ、光学式電界センサ等が使用可能である。
【００４１】
画像表示装置１を正面視した場合の表示部３の奥側には、制御基板（図示外）が設けられる。制御基板は、表示部３を形成する表示パネル１３（図２参照）と電気的に接続される。
【００４２】
画像表示装置１において実行される処理概要について説明する。画像表示装置１では、表示部３に対して外部より電界が照射されることにより、表示中の像が乱されてしまう可能性がある。そこで画像表示装置１では、センサ２１〜２４にて外部より照射される電界強度が検出される。そして、検出された電界強度が表示部３に表示されている像に影響を及ぼす程度であると判断された場合、表示中の像を補正する為の処理（再描画処理）が実行される。詳細は後述する。
【００４３】
図２を参照し、表示パネル１３について説明する。表示パネル１３には、正面視正方形状の画素が縦横に整列され配置される。画像表示装置１では、画素毎に印加電界を制御することにより、画素に設けられている帯電粒子５，６を移動させ、正面視した場合の画素の色を変化させる。これにより、ユーザに対して所望の像を視認させることが可能となっている。処理詳細は後述する。
【００４４】
図３及び４を参照し、画像表示装置１の表示部３を構成する表示パネル１３の物理的構成について説明する。図３及び図４に示すように、表示パネル１３は、正面側に配置される第一基板１３１と、第一基板１３１の背面側に対向配置される第二基板１３２とを備えている。表示部３は、対向配置された第一基板１３１と第二基板１３２との間に形成される。
【００４５】
第二基板１３２は、表示部３に電界を発生させる目的で設けられる第二電極１３８、第二電極１３８の正面側に絶縁材料を塗布等して形成される絶縁膜である第二電極保護膜１３７、及び、第二電極１３８の背面側に設けられる筐体支持部１３９から構成される。第二電極保護膜１３７は、ポリエチレンテレフタレートやシリカ等の樹脂フィルムやガラスなどの無機材料等の高い絶縁性を発揮可能な材料により形成される。尚、本実施の形態では、第二電極保護膜１３７及び筐体支持部１３９は、可撓性のあるポリエチレンテレフタレートにより構成されたプラスチック基板（樹脂フィルム）である。第二電極１３８は、一定の電圧が印加されるように線状の電気導電体が横方向（Ａ−Ａ線方向）に平行に且つ所定間隔を空けて配設された、複数の電極を具備する基板である。
【００４６】
第二基板１３２の正面側には、第二基板１３２に対向し、かつ平行に所定間隔を空けて第一基板１３１が設けられる。第一基板１３１は、表示部３に電界を発生させる目的で設けられる第一電極１３４、第一電極１３４の背面側に絶縁材料を塗布等して形成される絶縁膜である第一電極保護膜１３５、及び、第一電極１３４の正面側に設けられ透明な部材により構成されて表示画面として機能する表示層１３３から構成される。第一電極保護膜１３５はポリイミド，ポリエチレンテレフタレート，ガラスなどの高い透明性を発揮可能な材料により形成される。第一電極１３４は、一定の電圧が印加されるように線状の電気導電体が縦方向（Ｂ−Ｂ線方向）に平行に且つ所定間隔を空けて配設された、複数の電極を具備する基板であり、かつ高い透明性を発揮可能な材料により構成される。
【００４７】
本実施の形態では、第一電極保護膜１３５はポリエチレンテレフタレートにより構成されたプラスチック基板（樹脂フィルム）である。また第一電極１３４は、酸化インジウムすず（ＩＴＯ）により形成された透明電極であり、表示層１３３はガラス基板である。つまり、第一基板１３１は透明体であるから、ユーザが第一基板１３１の正面方向（図３上方向）から表示部３を視認可能な表示基板として機能する。
【００４８】
表示部３について説明する。対向して設けられる第二基板１３２及び第一基板１３１と、スペーサー１３６とで形成される間隙が、表示部３である。スペーサー１３６は、第二基板１３２と第一基板１３１との間隙に架設される。そして、その間隙を格子状に均等に分割して複数の小区画セルを形成するとともに、第二基板１３２及び第一基板１３１を支持する。スペーサー１３６は、格子状に複数の貫通孔が形成された板状部材として構成された可撓性部材であり、例えばポリイミドやポリエチレンテレフタレートなどの合成樹脂で構成されればよい。
【００４９】
図３に示すように、表示部３の内部には、帯電粒子５，６及び分散媒７が充填される。帯電粒子５，６は、分散媒７中において帯電可能な材料が用いられ、有機化合物や無機化合物からなる顔料や染料、もしくは顔料や染料を合成樹脂で包んだものからなる。本実施の形態では、帯電粒子５はスチレン樹脂と二酸化チタンの混合物で、平均粒子径が５μｍのもの（７ｗｔ％）であって、粒子中の二酸化チタンの量が４０ｗｔ％のものが使用される。また、帯電粒子６はスチレン樹脂とカーボンブラックの混合物で、平均粒子径が５μｍのもの（１０ｗｔ％）であって、粒子中のカーボンブラックの量が３０ｗｔ％のものが使用される。このため、帯電粒子５は白色の色調となり、帯電粒子６は黒色の色調となる。また、帯電粒子５と帯電粒子６とは正あるいは負に相異なるように帯電している。本実施の形態では、帯電粒子５が負に、帯電粒子６が正に帯電しているものとする。
【００５０】
一方、分散媒７としては、高絶縁性を発揮可能で、かつ粘性の低い、アルコール類，炭化水素，シリコーンオイルなどが使用可能である。本実施の形態では、パラフィン系溶剤であるエクソンモービル社製Ｉｓｏｐａｒ（７３ｗｔ％）が使用される。また、分散媒７には添加剤としてエタノール（１０ｗｔ％）が加えられている。
【００５１】
第一基板１３１の正面側（第二基板１３２と対向しない面側）には、正面視にて、小区画セルが存在しない表示部３の周縁部をユーザが視認できないように隠蔽するためのマスク部８が設けられる。マスク部８は、第一基板１３１の四辺に沿って一定幅で設けられる。マスク部８は、表示部３を利用者が視認できるように貫通孔が設けられた板状部材であり、ポリエチレンテレフタレートなどの合成樹脂を着色したものを接着したり、表示層１３３の表面に印刷したインク層で形成させることが可能である。これにより、表示パネル１３がその正面側から視認された状態において、マスク部８に設けられた貫通孔から表示部３が視認可能となる。
【００５２】
次に、電極（第一電極１３４、第二電極１３８）への電圧印加の具体的方法について概説する。画像表示装置１では、表示部３に画像を形成させる場合において、第一基板１３１の第一電極１３４と第二基板１３２の第二電極１３８との間に逆極性の電圧を印加させる。これにより第一電極１３４と第二電極１３８との間の表示部３に電界を発生させ、分散媒７中の帯電粒子５，６を移動させる。第一基板１３１に移動させる帯電粒子５，６を表示部３の場所毎に制御することにより、ユーザに視認させる画素の色を場所毎に変化させることが可能となるので、表示部３に像を形成させることが可能となる。以下、このような逆極性の電圧を印加する動作を「像形成動作」という。
【００５３】
例えば、図３に示す例では、第一電極１３４と第二電極１３８との間に逆極性の電圧を印加させて表示部に電界を発生させることにより、帯電粒子５の白色を第一基板１３１側に移動させたり、又は帯電粒子５を第二基板１３２側に移動させ分散媒７の黒色を第一基板１３１側に移動させたりする。これにより、画像表示装置１を正面視した場合に、表示部３に白色又は黒色が表示される。これにより所望の画像を表示させている。
【００５４】
なお、一旦像形成動作により移動された帯電粒子５，６は、電圧印加を停止させた後も次の電界を受けない限り移動後の位置に保持される。このため、電極（第一電極１３４、第二電極１３８）に電圧を印加することにより表示部３に得られる像は、電圧印加を停止させた後も表示部３に保持される。従って画像表示装置１では、常時電極（第一電極１３４、第二電極１３８）に電圧を印加して表示部３に電界を印加させておく必要はない。一旦表示部３に像を形させた後は、電極（第一電極１３４、第二電極１３８）への電圧印加を停止させ、像の変更（更新）を行う場合にのみ、電極（第一電極１３４、第二電極１３８）に電圧を印加すればよい。これにより画像表示装置１は、消費電力を抑制しつつ所望の像を表示させることが可能となっている。
【００５５】
ここで画像表示装置１では、長時間画像を変更（更新）させない状態（すなわち、電極（第一電極１３４、第二電極１３８）に長時間電圧が印加されない状態）では、時間の経過とともに、帯電粒子５，６が凝集したり、表示部３の一部分に帯電粒子５，６が偏ったり、帯電粒子５，６が分散媒７中に沈降したりする不具合が発生する。このような不具合が発生すると、表示部３に電界を発生させても十分に帯電粒子５，６を移動させることができないので、像に色ムラが発生したり画像のコントラストが低下したりして、像の品質が劣化する。そこで画像表示装置１では、このような画像品質の悪化を防止するために、交互に逆極性のパルス電圧を第一電極１３４及び第二電極１３８に印加する。これにより、壁面に不所望に付着した帯電粒子の剥離を容易にして帯電粒子の電気泳動を促進し、良質な像形成を可能化する。以下、このように交互に逆極性のパルス電圧を印加する動作を「リフレッシュ動作」という。
【００５６】
図５を参照し、像形成動作時、及びリフレッシュ動作時における電極（第一電極１３４、第二電極１３８）への電圧印加制御について説明する。図５は、像形成動作時、及びリフレッシュ動作時における、第一基板１３１に印加される電圧「Ｖ１」、第二基板１３２に印加される電圧「Ｖ２」、及び、第一基板１３１と第二基板１３２との間に発生する電位差「Ｖ１−Ｖ２」の一例を示す説明図である。図５においては、像形成動作時及びリフレッシュ動作時において第一電極１３４に印加される電圧「Ｖ１」を（Ａ）にて示し、第二電極１３８に印加される電圧「Ｖ２」を（Ｂ）にて示し、第一電極１３４と第二電極１３８との間に発生する電位差「Ｖ１−Ｖ２」を（Ｃ）にて示している。また、図５における「ｔ１」の期間が、像形成動作時の電位差の一例であり、「ｔ２」の期間が、リフレッシュ動作時の電位差の一例である。
【００５７】
図５に示すように、ｔ１において示される像形成動作時においては、第一電極１３４と第二電極１３８にそれぞれ逆極性（Ｖ１：−極性、Ｖ２：＋極性）の電圧がｔ１の間印加される。この結果、第一電極１３４と第二電極１３８との間には「Ｖ１−Ｖ２」の電位差が発生している。
【００５８】
Ｖ１、及びＶ２の電圧は、少なくとも分散媒７中の帯電粒子５，６を移動させるために必要な電界が印加されるように調整される。またｔ１の時間は、少なくとも分散媒７中の帯電粒子５，６を表示部３の厚さ方向の長さ分移動させるために必要な時間となるように調整される。これにより、分散媒７中の帯電粒子５，６は所定の方向（第一基板１３１側、又は、第二基板１３２側）に移動し、表示部３の第一電極１３４側又は第二電極１３８側に面接する状態となる。結果、表示部３の正面側の所定位置が白色又は黒色に変化し、所望の像が形成される。
【００５９】
一方、ｔ２において示されるリフレッシュ動作時においては、第一基板１３１の第一電極１３４と第二基板１３２の第二電極１３８にそれぞれ逆極性のパルス電圧が交互に印加される。図５に示す例では、Ｖ１としては、＋極→−極→＋極→−極→＋極となるように電圧が印加され、Ｖ２としては、−極→＋極→−極→＋極→−極となるように電圧が印加されている。この結果、第一電極１３４と第二電極１３８との間には、＋極と−極が交互に繰り返されるように「Ｖ１−Ｖ２」の電位差が発生する。
【００６０】
なお、リフレッシュ動作における一回のパルス電圧印加時間（図５中、「ｔ２／５」に相当）は、像形成動作時における電圧印加時間（ｔ１）よりも短くなるように設定される。「ｔ２／５」の時間では、移動した帯電粒子５，６は表示部３における第一基板１３１側及び第二基板１３２側の面に到達せず、これらの面に付着しない。結果、帯電粒子５，６が表示部３の側面に移動させることなく、局所的にに付着してしまった帯電粒子５，６の剥離の容易化、及び帯電粒子５，６の移動を促進化が可能となっている。
【００６１】
図６を参照し、画像表示装置１の電気的構成について説明する。図６は、画像表示装置１の電気的構成を示す模式図である。
【００６２】
図６に示すように、画像表示装置１は、画像表示装置１にて実行される各種制御処理（表示制御処理、再描画処理、リフレッシュ処理、入力受付処理など）を司る制御部１１、制御部１１にて実行されるプログラムやパラメータ（閾値等）が記憶されるＲＯＭ１４、制御部１１にて処理が実行される場合においてフラグやカウンタが一時的に記憶されるＲＡＭ１５、表示部３に表示させる像情報や各種設定情報等が記憶されるフラッシュメモリ１６を備えている。そして、制御部１１よりＲＯＭ１４、ＲＡＭ１５、及びフラッシュメモリ１６が備える記憶領域にアクセスすることが可能なように、制御部１１とＲＯＭ１４、ＲＡＭ１５、及びフラッシュメモリ１６とはそれぞれ電気的に接続されている。
【００６３】
画像表示装置１は、画像表示装置１に対して外部より照射される電界を検出することが可能なセンサ２１〜２４を備えている。また、センサ２１〜２４により検出される電界の周波数成分のうち、所定の周波数成分を除去することが可能なフィルタ２５〜２８を備えている。また、フィルタ２５〜２８より出力される所定周波数除去後のアナログ値を離散化し、デジタル値に変換する為のＡ／Ｄコンバータ２９〜３２を備えている。そして、センサ２１〜２４はフィルタ２５〜２８と其々電気的に接続される。フィルタ２５〜２８はＡ／Ｄコンバータ２９〜３２と其々電気的に接続される。Ａ／Ｄコンバータ２９〜３２より出力されるデジタル値を制御部１１にて認識することが可能なように、Ａ／Ｄコンバータ２９〜３２と制御部１１とは電気的に接続される。
【００６４】
フィルタ２５〜３２は、画像表示装置１に対して外部より照射される電界の周波数のうち、表示部３の帯電粒子５，６の移動に影響を及ぼす可能性の高い周波数のみを通過させ、その他の帯域の周波数を除去することができるように、カットオフ周波数が設定される。フィルタ２５〜３２としては、例えば、帯電粒子５、６の移動に寄与し難い数ＭＨz以上の周波数成分をカットすることが可能なローパスフィルタが使用される。
【００６５】
画像表示装置１は、表示パネル１３及びドライバ１２を備えている。ドライバ１２は、制御部１１からの制御に基づき、表示パネル１３を構成する第一電極１３４及び第二電極１３８に所望の電圧を印加させることが可能なドライバ素子である。第一電極１３４及び第二電極１３８に所望電圧が印加されることにより、表示パネル１３の表示部３に像が形成される。そして、制御部１１より表示パネル１３の第一電極１３４、及び第二電極１３８に所望の電圧を印加し、表示部３に所望の像を表示させることが可能なように、制御部１１はドライバ１２と電気的に接続される。ドライバ１２は表示パネル１３と電気的に接続される。
【００６６】
画像表示装置１は、ユーザからの入力（像更新指示入力、各種設定入力など）を受け付けるための操作ボタン１８を備えている。そして、入力内容を制御部１１にて認識することが可能なように、操作ボタン１８と制御部１１とは電気的に接続される。また画像表示装置１は、上述の各素子に電力を供給して駆動可能とする為の電源１７を備えている。
【００６７】
画像表示装置１の制御部１１にて実行される各処理について、図７及び図８を参照して説明する。図７は、入力受付処理のフローチャートである。図８は、電界監視処理のフローチャートである。入力受付処理は、ユーザにより操作ボタン１８が押下された場合に、制御部１１により起動され実行される。電界監視処理は、画像表示装置１の電源が投入された状態で制御部１１にて実行される。
【００６８】
入力受付処理及び電界監視処理にて使用されるフラグについて説明する。許可フラグは、ユーザによりなされる再描画処理の許可／禁止の設定を示すために使用される。再描画処理が許可されている状態で「１」が記憶され、禁止されている状態で「０」が記憶される。これらのフラグはＲＡＭ１５に記憶され、画像表示装置１の電源投入時において「０」が記憶され初期化される。以下、これらのフラグに「１」が記憶されることを「ＯＮされる」といい、「０」が記憶されることを「ＯＦＦされる」という。
【００６９】
図７を参照し、入力受付処理について説明する。入力受付処理では、ユーザにより操作ボタン１８が押下された場合に、その入力内容に基づいた処理が実行される。操作ボタン１８が押下されて入力受付処理が開始された場合、図７に示すように、入力内容が再描画処理（図８、Ｓ４１参照、詳細後述）の許可／禁止の設定であった場合（Ｓ１１：ＹＥＳ）、入力内容に基づきフラグ設定が実行される。再描画処理を許可する入力操作である場合（Ｓ１３：ＹＥＳ）、再描画処理が許可されたことを示すために許可フラグがＯＮされる（Ｓ１５）。そして入力受付処理は終了される。一方、再描画処理を禁止する内容の入力操作である場合（Ｓ１３：ＮＯ）、再描画処理が禁止されたことを示すために許可フラグがＯＦＦされる（Ｓ１７）。そして入力受付処理は終了される。
【００７０】
ユーザによりなされた入力内容が、再描画処理の許可／禁止の設定でない場合（Ｓ１１：ＮＯ）、次いで、表示部３に表示中の像を更新（変更）する旨の入力操作であるかが判断される（Ｓ１９）。表示中の像を更新（変更）する旨の入力操作であった場合（Ｓ１９：ＹＥＳ）、フラッシュメモリ１６に記憶されている像情報のうち、表示部３に表示させるべき像情報が選択される。次いでドライバ１２が制御され、表示パネル１３の第一電極１３４及び第二電極１３８の電圧が制御される。これにより、表示部３の像が更新（変更）され、新たな像が形成される（Ｓ２１）。そして入力受付処理は終了される。
【００７１】
一方、ユーザによりなされた入力内容が、上述のいずれでもない場合（Ｓ１９：ＮＯ）、以下特段の処理を行うことなく入力受付処理は終了される。
【００７２】
図８を参照し、電界監視処理について説明する。電界監視処理では、画像表示装置１に対して所定条件を満たす電界が外部より照射された場合に、表示部３に表示されている像を補正する為の処理（再描画処理）が実行される。これにより、外部電界が表示部３の帯電粒子５，６を不用意に移動させ、表示中の像を乱す現象が発生してしまった場合でも、像を良好に保持することが可能となる。
【００７３】
図８に示すように、電界監視処理では、はじめに再描画処理が許可されているかが許可フラグの状態により判断される。ユーザの入力操作により再描画処理が禁止されている状態では、許可フラグがＯＦＦされている（Ｓ１７、図７参照）。そこで許可フラグがＯＦＦされている場合には（Ｓ２１：ＮＯ）、外部より画像表示装置１に対して照射される電界の監視を行い再描画処理を行う必要はないので、Ｓ２１に戻り、継続して許可フラグを監視する処理が実行される。
【００７４】
許可フラグがＯＮされており、ユーザの入力操作により再描画処理が許可された状態では（Ｓ２１：ＹＥＳ）、次いで、所定の像（全面白、全面黒、起動時の初期化画面など）が表示部３に形成された状態であるかどうかが判断される。所定の像が形成されている場合には、この像はユーザにより視認されていない可能性が高いと判断される。この像は再描画を行って補正する必要はないので（Ｓ２３：ＹＥＳ）、Ｓ２１に戻り、継続して許可フラグを監視する処理が実行される。
【００７５】
表示部３に形成されている像が所定の像以外である場合（Ｓ２３：ＮＯ）、外部より画像表示装置１に照射される電界の監視が開始される。はじめに、センサ２１〜２４にて検出された電界がフィルタ２５〜２８及びＡ／Ｄコンバータ２９〜３２を介し取得される（Ｓ２５）。次いで、センサ２１〜２４の其々より取得された電界の強度（電界強度）のうち、所定閾値（ＴＨ１）以上の電界強度が存在するかどうかが判断される（Ｓ２７）。ＴＨ１の値としては、表示部３の帯電粒子５，６を移動させる可能性のある最低限の電界強度値が設定される。これにより、画像表示装置１に対して外部より照射される電界の影響を受け、表示部３に形成中の像が乱されてしまう状態を監視する。
【００７６】
センサ２１〜２４より検出された電界強度のいずれの値も、ＴＨ１未満であると判断された場合（Ｓ２７：ＮＯ）、形成中の像が外部より照射される電界の影響をうけて乱されてしまう可能性は低いと判断される。この場合、再描画処理を行って像を補正する必要はないので、Ｓ２１に戻り、上述の処理が繰り返し実行される。
【００７７】
センサ２１〜２４より取得された電界強度のうち少なくともいずれかががＴＨ１以上となっていた場合（Ｓ２７：ＹＥＳ）、表示部３の帯電粒子５，６が外部より照射された電界により影響を受けて移動してしまい、形成中の像が乱されてしまう可能性があると判断される。このような場合、一定周期で更新されるタイマの監視が開始され、所定時間（Ｔ１）経過したかどうかが判断される（Ｓ３１）。Ｔ１としては、後述する所定閾値（ＴＨ２）以上の強度の電界が表示部３に照射された状態で、帯電粒子５，６を移動させるのに最低限必要な時間が設定される。
【００７８】
所定時間（Ｔ１）が経過していない状態では（Ｓ３１：ＮＯ）、電界強度ＴＨ１の電界が外部より表示部３に照射されている状態であっても、形成中の像の乱れは発生していない状態であると判断される。そこでこの状態で、センサ２１〜２４より取得された電界強度の全てが、所定閾値（ＴＨ１）よりも小さい所定閾値（ＴＨ２）未満となったかどうかが判断される（Ｓ３２）。ＴＨ２の値としては、ＴＨ１より小さい値であって、表示部３の帯電粒子５，６を移動させる可能性のない最大の値が設定される。
【００７９】
取得された電界強度の全てがＴＨ２未満となった場合には（Ｓ３２：ＹＥＳ）、表示部３の像が乱れることなく外部より放射される電界の強度が弱くなったものと判断される。この場合、再描画処理を行って像を補正する必要はないので、Ｓ２１に戻り、上述の処理が繰り返し実行される。一方、所定時間（Ｔ１）が経過していない状態で、電界強度がＴＨ２以上となっている状態では（Ｓ３２：ＮＯ）、Ｓ２５に戻り、センサ２１〜２４より電界強度が取得される。そして電界強度の監視と所定時間（Ｔ１）の時間監視とが繰り返し実行される。
【００８０】
所定時間（Ｔ１）が経過した場合（Ｓ３１：ＹＥＳ）、外部からの電界照射により表示部３の帯電粒子５，６が移動してしまい、形成中の像が乱されてしまっている可能性があると判断される。そこで、再度センサ２１〜２４より電界強度が取得され（Ｓ３３）、電界強度の全てが所定閾値（ＴＨ２）未満となったかどうかが判断される（Ｓ３５）。取得された電界強度の全てがＴＨ２未満となった場合には（Ｓ３５：ＹＥＳ）、外部より照射される電界の強度が弱まったものと判断される。この状態では、これ以上形成中の像が外部電界により乱される可能性は小さいので、乱れてしまった像を補正する再描画処理が実行される（Ｓ４１）。
【００８１】
再描画処理（Ｓ４１）では、表示部３に表示中の像を形成させるために電極（第一電極１３４、第二電極１３８）に印加された強度及び極性の電圧と同一の電圧が、再度電極（第一電極１３４、第二電極１３８）に印加される。これにより、外部電界より影響を受けて乱れてしまった像を元に戻し、クリアな像を再度表示部３に形成させる。再描画処理の終了後は、Ｓ２１に戻り、上述の処理が繰り返し実行される。
【００８２】
一方、所定時間（Ｔ１）待機した後にセンサ２１〜２４より取得された電界強度が、依然ＴＨ２より大きい状態である場合（Ｓ３５：ＮＯ）、継続して像を乱してしまう程度の電界が外部より照射されていると判断される。この場合、直ぐに再描画処理を実行しても、再度外部電界により像が乱されてしまう可能性が高い。そこでこのような場合には、タイマの監視が継続され、最初にＴＨ１を超えてから所定時間（Ｔ２）が経過したかどうかが判断される（Ｓ３７）。Ｔ２が経過していない状態では（Ｓ３７：ＮＯ）、Ｓ３３に戻り、センサ２１〜２４より電界強度が取得される。そして、取得された電界強度の全てが所定閾値（ＴＨ２）未満となっているかどうかが判断される（Ｓ３５）。
【００８３】
電界強度がＴＨ２以下とならない状態で、所定時間（Ｔ２）が経過した場合（Ｓ３７：ＹＥＳ）、取得された電界強度のうち少なくともいずれかが、上述の所定閾値（ＴＨ１）よりも小さい所定閾値（ＴＨ３）以上であるかが判断される（Ｓ３８）。所定閾値（ＴＨ３）以上である場合には（Ｓ３８：ＹＥＳ）、継続して強い強度の電界が外部より照射されており、表示部３の帯電粒子５，６が外来電界により受けた影響が大きく像の乱れが激しい状態であると判断される。このような場合には、形成中の像を一旦クリアするためにリフレッシュ動作が実行される（Ｓ３９）。そしてＳ４１の処理に移行され、リフレッシュ動作によりクリアされてしまった像を再形成させるための処理が実行される（Ｓ４１）。再描画処理の終了後は、Ｓ２１に戻り、上述の処理が繰り返し実行される。
【００８４】
一方、取得された電界強度の全てが所定閾値（ＴＨ３）未満となっている場合には（Ｓ３８：ＮＯ）、Ｓ４１に移行され、外部より照射された電界により乱れてしまった像を修正する為の再描画処理が実行される（Ｓ４１）。再描画処理の終了後は、Ｓ２１に戻り、上述の処理が繰り返し実行される。
【００８５】
なお、所定閾値（ＴＨ３）は、記述の所定閾値（ＴＨ２）と同値であってもよいし、異なる値であってもかまわない。
【００８６】
以上説明したように、画像表示装置１では、電界を検出することが可能なセンサ２１〜２４を備えている。そして、外部より画像表示装置１に対して照射される電界が検出され、帯電粒子５，６が影響を受けて表示部３に表示中の像が乱された可能性がある場合に、再描画動作を行う。これにより、外来電界の照射に伴う像の乱れを修正することが可能となるので、常に鮮明な像を表示部３に表示させることが可能となる。
【００８７】
また、電界強度が所定閾値（ＴＨ２）以下となった場合に再描画処理を行うので、再描画処理直後に外来雑音の影響を受け、像が再度乱されてしまうことを防止することが可能となり、像を鮮明に保持させることが可能となる。
【００８８】
また、画像表示装置１が外部より電界を受けている時間が短く（Ｔ１未満）、表示部３に形成されている像に及ぶ影響が小さい状態では、再描画処理を行わないようにする。これにより、再描画処理の実行回数を削減することが可能となるので、画像表示装置１の消費電力を抑制することが可能となる。また、表示部３に形成されている像に影響が及び像が乱されていることが想定される場合には、再描画処理が実行されるので、効率的に再描画処理を行うことが可能となる
【００８９】
本実施の形態の画像表示装置１では、センサ２１〜２４は枠部２の各辺部分に配置されているので、センサ２１〜２４が表示部３に形成中の像の邪魔になりユーザの視認性を悪化させてしまうことを防止できる。
【００９０】
また、フィルタ２５〜２８が表示部３の帯電粒子５，６の移動に影響を及ぼす可能性の高い周波数のみを通過させ、その他の帯域の周波数を除去する。これにより、形成中の像に影響を及ぼす可能性が低い周波数の電界が外部より照射された場合には、再描画処理を行わないようにすることが可能となる。従って、不要な再描画処理の実行回数を削減し、画像表示装置１の消費電力を抑制することが可能となる。また、表示部３に形成されている像に影響が及ぶ可能性の高い周波数の電界は検出され、再描画処理の実行の判断の基とされるので、効率的に再描画処理を行うことが可能となる。
【００９１】
また、ユーザによる操作ボタン１８からの入力操作により、再描画処理の許可／禁止を設定することが可能であるので、再描画処理が不要な環境（外来電界がないことが明らかな環境など）では、電界強度の監視処理等に要する消費電力を抑制することが可能となる。
【００９２】
また、表示部３に形成中の像が所定の像（全面白、全面黒、初期画面など）となっている場合には、ユーザにより表示部３が視認されている可能性が低い。そこでこのような場合に、再描画動作を行わないようにすることにより、不要な再描画処理の実行を抑制して消費電力を抑制することが可能となる。
【００９３】
また、取得された電界強度が一旦所定閾値（ＴＨ１）となった後、所定時間（Ｔ２）経過後も継続して所定閾値（ＴＨ３）以上となっている場合には、外部より放射される電界が形成中の像に及ぼす影響が大きく、像の乱れが激しい状態であると判断し、リフレッシュ動作を実行する。これにより、像の乱れが激しい場合であっても、コントラストの良好な像を表示部３に形成させることが可能となる。
【００９４】
なお、本発明は上記実施の形態に限定されるものではなく、種々の変更が可能である。以下、本発明の実施の形態の変形例について、以下に説明する。
＜第一の変形例＞
【００９５】
上述の実施の形態では、再描画処理時において第一電極１３４及び第二電極１３８に印加される電圧及び印加時間は常に一定（図５参照）であった。しかしながら本発明はこの方法に限定されず、画像表示装置１に対して外部より照射される電界の強度の最大値、電界の積算量、及び照射時間に応じて、再描画処理時における電極（第一電極１３４、第二電極１３８）への印加電圧レベル及び印加時間を変化させてもよい。以下、第一の変形例について説明する。
【００９６】
第一の変形例における画像表示装置１の制御部１１にて実行される電界監視処理について、図９を参照して説明する。図９は、第一の変形例における電界監視処理のフローチャートである。第一の変形例では、センサ２１〜２４より取得される外部電界の照射時間（Ｒ）、外部電界の累計値（Ｐ）、及び強度の最大値（Ｖｍａｘ）が特定される。そして、特定されたこれらのパラメータに基づき、再描画処理時において電極（第一電極１３４、第二電極１３８）に印加される電圧のレベル及び印加時間が決定される。
【００９７】
図９は、第一の変形例における電界監視処理のフローチャートである。電界監視処理は、画像表示装置１の電源が投入された状態で制御部１１により実行される。なお、画像表示装置１の物理的構成（図１〜図４参照）、電気的構成（図６参照）、入力受付処理（図７参照）については、上述の実施の形態と同様であるので、以下においては説明を省略している。
【００９８】
電界監視処理において使用される変数について説明する。変数「Ｒ」には、所定閾値（ＴＨ４）以上の外来電界が連続して照射された場合における照射時間を示す値が記憶される。変数「Ｖｍａｘ」には、センサ２１〜２４より取得された電界の強度のうち最も大きな強度が記憶される。変数「Ｐ」は、外部より照射される電界の積算量として、センサ２１〜２４より取得された電界強度の累計値が記憶される。これらの変数は、ＲＡＭ１５に記憶され、電界監視処理の起動時に「０」が記憶され初期化される。
【００９９】
図９に示すように、電界監視処理では、はじめに再描画処理の実行が許可されているかが判断される。許可フラグがＯＦＦされており、再描画処理が禁止されている場合には（Ｓ５１：ＮＯ）、再描画処理を行う必要はないので、Ｓ５１に戻り、継続して許可フラグが監視される。
【０１００】
許可フラグがＯＮされており、再描画処理が許可された状態となっている場合（Ｓ５１：ＹＥＳ）、所定の像が表示部３に表示された状態であるかが判断される（Ｓ５３）。表示部３に表示されている画像が所定の像である場合には（Ｓ５３：ＹＥＳ）、ユーザにより表示部３が視認される可能性は少ないので、Ｓ５１に戻り、上述の処理が繰り返し実行される。
【０１０１】
表示部３に表示中の像が所定の像でない場合（Ｓ５３：ＮＯ）、Ａ／Ｄコンバータ２９〜３２を介してセンサ２１〜２４より電界強度が取得される。そして、其々のセンサより取得された電界強度のうち最大の値が、テンポラリ変数「Ｖｓ」に記憶される（Ｓ５５）。
【０１０２】
次いで、変数Ｖｓが所定閾値（ＴＨ１）以上であるかどうかが判断される（Ｓ５７）。変数ＶｓがＴＨ１未満である場合（Ｓ５７：ＮＯ）、外部より照射された電界が表示部３に形成中の像に及ぼす影響は小さいと判断されるので、再描画処理を行うことなくＳ５１に戻り、上述の処理が繰り返し実行される。
【０１０３】
変数ＶｓがＴＨ１以上であった場合（Ｓ５７：ＹＥＳ）、表示部３に形成されている像が乱される可能性がある状態と判断される。そこで、はじめに変数Ｒに「０」が記憶されリセットされる（Ｓ５９）。次いで、変数Ｖｓが変数Ｐに記憶される（Ｓ６１）。次いで、変数Ｖｓが変数Ｖｍａｘに記憶される（Ｓ６７）。
【０１０４】
次いで、再度センサ２１〜２４より電界強度が取得される。其々のセンサより取得された電界強度のうち最大の値が、テンポラリ変数「Ｖｓ」に記憶される（Ｓ６９）。そして変数Ｖｓが、所定閾値（ＴＨ４）以上であるかどうかが判断される（Ｓ７１）。
【０１０５】
変数ＶｓがＴＨ４より大きい場合には（Ｓ７１：ＮＯ）、強い強度の電界が継続して外部より照射されており、表示部３に形成中の像に及ぼす影響が大きい状態が継続していると判断される。そこでこのような場合、変数Ｒに「１」加算されて更新される（Ｓ７７）。変数Ｒは、画像表示装置１に対して外部より強い強度の電界が照射されている間の時間（照射時間）を示す変数とされる。次いで、変数Ｐに変数Ｖｓの値が加算され更新される（Ｓ７９）。変数Ｐは、画像表示装置１に対して外部より照射される電界の累計値を示す変数とされる。次いで、変数Ｖｓが変数Ｖｍａｘ以上であった場合に（Ｓ８１：ＹＥＳ）、変数Ｖｍａxに変数Ｖｓの値が記憶され更新される（Ｓ８３）。変数Ｖｍａxは、画像表示装置１に対して外部より照射された最大の電界強度を示す変数とされる。そしてＳ６９の処理に戻り、上述の処理が繰り返し実行される。一方、変数Ｖｓが変数Ｖｍａｘ未満である場合には（Ｓ８１：ＮＯ）、変数Ｖｍａｘの更新処理を行うことなくＳ６９の処理に戻り、上述の処理が繰り返し実行される。
【０１０６】
なお、変数Ｒの更新方法としては、上述の方法に限定されない。例えば、一定周期で更新されるカウンタの値を変数Ｒに記憶させる構成であってもよい。具体的には、はじめに変数Ｒが更新されるタイミングでカウンタを初期化し、次に変数Ｒが更新されるタイミングで、更新された状態のタイマの値を変数Ｒに加算する。加算後、タイマは初期化される。この構成とすることにより、強い電界が外部より照射されている時間を正確に記憶することが可能となる。
【０１０７】
一方、変数ＶｓがＴＨ４以下となった場合には（Ｓ７１：ＹＥＳ）、画像表示装置１に対して外部より放射される電界の強度が弱まり、再描画処理を行った場合であっても補正後の像が乱される可能性が小さい状態であると判断される。そこで次に、再描画処理が実行される（Ｓ７３、Ｓ７５）。
【０１０８】
再描画処理では、はじめに、上述にて更新された変数Ｒ、Ｐ、及びＶｍａｘの値に基づいて、第一電極１３４、及び第二電極１３８に印加される電圧レベル及び電圧印加時間が決定される（Ｓ７３）。そして、決定された電圧レベル及び電圧印加時間に基づき、再描画処理が実行される（Ｓ７５）。再描画処理後は、Ｓ５１に戻り、上述の処理が繰り返し実行される。
【０１０９】
なお、Ｓ７３における決定処理では、変数Ｒ、Ｐ、及びＶｍａxのうち少なくともいずれかの値に基づき、印加電圧強度及び印加時間が決定される。Ｒ、Ｐ、及びＶｍａxのいずれの変数も、その値が大きい程、外部より照射された電界が表示部３の帯電粒子５、６に与える影響は大きい。従ってこれらの変数の値が大きい程、形成中の像も大きく乱されていると想定されるので、電極（第一電極１３４、及び第二電極１３８）に印加する電圧レベル及び印加時間のいずれも大きくなるように決定される。
【０１１０】
以上説明したように、第一の変形例では、変数Ｒ（外来電界の照射時間）、Ｐ（外来電界の累計値）、及びＶｍａx（外来電界の最大値）の値に基づいて、再描画処理時において電極（第一電極１３４、第二電極１３８）に印加される電圧レベル、及び印加時間を決定する。これにより、外来電界に伴い乱された像を修正するために必要十分な再描画処理の条件を選定し、再描画処理を行うことが可能となる。これにより、画像表示装置１の消費電力を抑制しつつ効率的に再描画処理を行うことが可能となる。
＜第二の変形例＞
【０１１１】
上述の実施の形態及び第一の変形例では、枠部２に配置されている４つのセンサ２１〜２４のうち少なくともいずれかより取得された電界強度が所定の条件を満たす場合に、表示部３の全ての領域の電極（第一電極１３４及び第二電極１３８）に印加する電圧を制御し、再描画処理を行っていた。しかしながら本発明はこの方法に限定されない。以下、第二の変形例について説明する。
【０１１２】
第二の変形例では、電界を検出可能なセンサ５１〜５４は表示パネル１３の背面側（第二基板１３２の背面側）に配置される。そして其々のセンサ５１〜５４に表示部３の特定の領域を割り当てる。そして、センサ５１〜５４にて検出された電界が所定の条件を満たし、再描画処理が必要であると判断された場合に、表示部３のうち割り当てられている領域のみ再描画処理を行う。これにより、部分的に再描画処理の有無を判断することが可能となるので、より効率的に再描画処理を実行させることが可能となる。
【０１１３】
第二の変形例について、図面を参照して説明する。図１０は、第二の変形例における画像表示装置１０の物理的構成を示す斜視図である。図１１は、第二の変形例においてフラッシュメモリ１６に記憶される表示領域割当テーブルを示す模式図である。なお、表示パネル１３の物理的構成（図２乃至４参照）、画像表示装置１０の電気的構成（図６参照）については、上述の実施の形態と同様であるので、以下においては説明を省略している。
【０１１４】
第二の変形例における画像表示装置１０の物理的構成について、図１０を参照して説明する。図１０に示すように、画像表示装置１０では、電界を検出可能なセンサ５１〜５４は、表示パネル１３の背面側（第二基板１３２）に設けられる。センサ５１〜５４は、表示パネル１３の背面側であって、表示部３を左右方向及び上下方向に２等分することにより形成される４領域（左上の表示領域５５、右上の表示領域５６、左下の表示領域５７、左上の表示領域５８）内にそれぞれ設けられる。具体的には、表示部３における左上の表示領域５５にセンサ５１、右上の表示領域５６にセンサ５２、左下の表示領域５７にセンサ５３、右下の表示領域５８にセンサ５４がそれぞれ設けられる。その他の物理構成については、上述の実施の形態における画像表示装置１と同様であるので、説明を省略する。
【０１１５】
フラッシュメモリ１６に記憶される表示領域割当テーブルについて、図１１を参照して説明する。表示領域割当テーブルには、センサ５１〜５４に表示パネル１３の各領域が対応付けられた情報が記憶されている。図１１に示すように、表示領域割当テーブルには、センサを識別するための情報である「センサ識別情報」の情報項目と、表示部３の表示領域を特定する為の情報である「表示領域」の情報項目とが設けられている。図１１に示す例では、画像表示装置１０に設けられるセンサの識別情報（５１〜５４）が、其々が配置される表示パネル１３の表示領域（５５〜５８）に対応付けて記憶されている。具体的にはセンサ５１に対して表示領域５５、センサ５２に対して表示領域５６、センサ５３に対して表示領域５６、センサ５４に対して表示領域５８が其々対応付けられている。
【０１１６】
第二の実施の形態における電界監視処理は、センサ５１〜５４其々について別途独立して処理が実行される他は、上述した電界監視処理（図８参照）と同様である。以下、第二の実施の形態における電界監視処理について、図８を参照して説明する。なお、入力受付処理（図７参照）については、上述の実施の形態と同様であるので、説明を省略する。
【０１１７】
図８に示すように、電界監視処理では、はじめに再描画処理が許可されているかが許可フラグの状態により判断される。許可フラグがＯＦＦされている場合には（Ｓ２１：ＮＯ）、再描画処理を行う必要はないので、Ｓ２１に戻り、継続して許可フラグを監視する処理が実行される。許可フラグがＯＮされている場合には（Ｓ２１：ＹＥＳ）、次いで、所定の像（全面白、全面黒、起動時の初期化画面など）が表示部３に形成された状態であるかどうかが判断される。所定の像が形成されている場合には（Ｓ２３：ＹＥＳ）、Ｓ２１に戻り、継続して許可フラグを監視する処理が実行される。
【０１１８】
所定の像以外である場合（Ｓ２３：ＮＯ）、外部より画像表示装置１に照射される電界の監視が開始される。はじめに、センサ５１にて検出された電界が取得され（Ｓ２５）、電界の強度（電界強度）が所定閾値（ＴＨ１）以上であるかどうかが判断される（Ｓ２７）。
【０１１９】
センサ５１より検出された電界強度がＴＨ１未満であると判断された場合（Ｓ２７：ＮＯ）、表示領域５５に形成中の像が外部より照射される電界の影響をうけて乱れてしまう可能性は低いと判断されるので、Ｓ２１に戻り、上述の処理が繰り返し実行される。
【０１２０】
センサ５１より取得された電界強度がＴＨ１以上となっていた場合（Ｓ２７：ＹＥＳ）、表示領域５５に配置された帯電粒子５，６が外部より照射された電界により影響を受け、形成中の像が乱されてしまう可能性があると判断される。このような場合には、タイマの監視が開始され、所定時間（Ｔ１）経過したかどうかが判断される（Ｓ３１）。
【０１２１】
所定時間（Ｔ１）が経過していない状態では（Ｓ３１：ＮＯ）、センサ５１より取得された電界強度が、所定閾値（ＴＨ１）よりも小さい所定閾値（ＴＨ２）未満となったかどうかが判断される（Ｓ３２）。ＴＨ２未満となった場合には（Ｓ３２：ＹＥＳ）、Ｓ２１に戻り、上述の処理が繰り返し実行される。一方、所定時間（Ｔ１）が経過していない状態で、電界強度がＴＨ２以上となっている状態では（Ｓ３２：ＮＯ）、Ｓ２５に戻り、センサ５１より電界強度が取得される。そして電界強度の監視と所定時間（Ｔ１）の時間監視とが繰り返し実行される。
【０１２２】
所定時間（Ｔ１）が経過した場合（Ｓ３１：ＹＥＳ）、外部からの電界照射により表示領域５５に配置された帯電粒子５，６が移動してしまい、表示領域５５に形成中の像が乱れてしまっている可能性があると判断される。そこで、再度センサ５１より電界強度が取得され（Ｓ３３）、所定閾値（ＴＨ２）未満となったかどうかが判断される（Ｓ３５）。センサ５１より取得された電界強度がＴＨ２未満となった場合には（Ｓ３５：ＹＥＳ）、表示領域５５に対して像を補正する再描画処理が実行される（Ｓ４１）。再描画処理（Ｓ４１）では、表示領域５５に表示中の像を形成させるために、表示領域５５に配置される電極（第一電極１３４、第二電極１３８）に印加された強度及び極性の電圧と同一の電圧が、再度印加される。再描画処理の終了後は、Ｓ２１に戻り、上述の処理が繰り返し実行される。
【０１２３】
一方、所定時間（Ｔ１）待機した後にセンサ５１より取得された電界強度が、依然ＴＨ２より大きい状態である場合（Ｓ３５：ＮＯ）、タイマの監視が開始され、所定時間（Ｔ２）が経過したかどうかが判断される（Ｓ３７）。Ｔ２が経過していない状態では（Ｓ３７：ＮＯ）、Ｓ３３に戻り、センサ５１より電界強度が取得される。そして、取得された電界強度が所定閾値（ＴＨ２）未満となっているかどうかが判断される（Ｓ３５）。
【０１２４】
電界強度がＴＨ２以下とならない状態で、所定時間（Ｔ２）が経過した場合（Ｓ３７：ＹＥＳ）、センサ５１より取得された電界強度が、上述の所定閾値（ＴＨ１）よりも小さい所定閾値（ＴＨ３）以上であるかが判断される（Ｓ３８）。所定閾値（ＴＨ３）以上である場合には（Ｓ３８：ＹＥＳ）、表示領域５５に形成中の像を一旦クリアするために、表示領域５５に対してリフレッシュ動作が実行される（Ｓ３９）。そしてＳ４１の処理に移行され、リフレッシュ動作によりクリアされてしまった像を再形成させるために、表示領域５５に対して再描画処理が実行される。再描画処理の終了後は、Ｓ２１に戻り、上述の処理が繰り返し実行される。
【０１２５】
一方、センサ５１より取得された電界強度が所定閾値（ＴＨ３）未満となっている場合には（Ｓ３８：ＮＯ）、Ｓ４１に移行され、表示領域５５に対して再描画処理が実行される（Ｓ４１）。再描画処理の終了後は、Ｓ２１に戻り、上述の処理が繰り返し実行される。
【０１２６】
上述の処理は、残りのセンサ５２〜５４についても同様に実行される。其々の処理では、センサ５２〜５４のそれぞれに対応する表示領域（表示領域５６〜５８）に対する再描画処理及びリフレッシュ動作が実行される。
【０１２７】
以上説明したように、センサ５１〜５４の其々に対し表示領域のうち所定の領域を割り当てる。そして、センサ５１にて所定の条件を満たす電界が検出された場合に、割り当てられた表示領域の再描画処理を行う。これにより、外来電界の影響を受け形成中の像が乱れている可能性が高い領域を特定し、特定された領域のみ再描画動作を行うことが可能となる。従って、すべての表示領域の再描画処理を一度に行う場合と比較し、消費電力を抑制して効率的に再描画動作を行うことが可能となるとともに、乱れてしまった像を効率的に修正することが可能となる。
【０１２８】
なお、図２の表示パネル１３が本発明の「電気泳動表示パネル」に該当する。第一電極１３４及び第二電極１３８に対して電圧を印加することにより、表示部３に所望の像を形成させる処理を行う制御部１１が本発明の「像形成手段」に相当する。図８のＳ２５、Ｓ３３、図９のＳ５５、Ｓ６９の処理を行う制御部１１が本発明の「取得手段」に相当する。図８のＳ２７の処理を行う制御部１１が本発明の「第一判断手段」に相当し、ＴＨ１が「第一閾値」に相当し、Ｓ４１の処理を行う制御部１１が本発明の「再描画手段」に相当する。
【０１２９】
図８のＳ３２、Ｓ３５の処理を行う制御部１１が本発明の「第二判断手段」に相当し、ＴＨ２が「第二閾値」に相当し、Ｔ１が「第一時間」に相当する。図６のフィルタ２５〜２８が本発明の「帯域除去手段」に相当する。（Ｔ１＋Ｔ２）が本発明の「第二時間」に相当し、ＴＨ３が「第三閾値」に相当し、図８のＳ３８の処理を行う制御部１１が本発明の「第三判断手段」に相当し、Ｓ３９の処理を行う制御部１１が本発明の「リフレッシュ手段」に相当する。
【０１３０】
図１１における表示領域割当テーブルを記憶するフラッシュメモリ１６が本発明の「記憶手段」に相当する。図１の操作ボタン１８が本発明の「入力手段」に相当する。図８のＳ２３、図９の５３の処理を行う制御部１１が本発明の「所定画像形成判断手段」に相当する。図９のＳ７７の処理を行う制御部１１が本発明の「計測手段」に相当し、Ｓ７３の処理を行う制御部１１が本発明の「変更手段」に相当する。
【０１３１】
なお、本発明は上記実施の形態及び変形例に限定されるものではなく、種々の変更が可能である。上述の実施の形態及び変形例では、電界を検出する為のセンサは合計４つ設けられていたが、本発明は、この構成に限定されない。従って、３つ以下であってもよいし、５つ以上であってもかまわない。
【０１３２】
上述の実施の形態及び変形例では、センサ２１〜２４又はセンサ５１〜５４として電界を検出することが可能な電界センサが使用されていたが、本発明のセンサは電界センサに限定されない。従って、磁界強度を検出することが可能な磁界センサを使用してもかまわない。磁界も電界と同様、表示部３の帯電粒子５，６を移動させ像を乱してしまう可能性がある。従って検出された磁界が所定の条件を満たす場合に再描画処理を行うことにより、外来磁界による像の乱れを修正することが可能となるので、常に鮮明な像を表示部３に表示させることが可能となる。
【０１３３】
上述の実施の形態及び変形例では、センサ２１〜２４又はセンサ５１〜５４にて検出された電界は、Ａ／Ｄコンバータ２９〜３２にて離散化され、制御部１１にて所定の閾値と比較されていた。しかしながら本発明はこの方法に限定されない。従って例えば、センサ２１〜２４又はセンサ５１〜５４にて検出された電界は、コンパレータによって所定の閾値と比較される構成としてもよい。この場合、コンパレータの出力信号が制御部１１と電気的に接続されることにより、比較結果（検出された電界が所定の閾値と比較して大きいか小さいか）を制御部１１にて検出することが可能となる。本構成とすることにより、閾値との比較処理がハードウェア的に実行されるので、制御部１１にて比較処理が行われる場合と比較して処理を迅速に行うことが可能となる。なお、本構成におけるコンパレータが、本発明の「第一判断手段」「第二判断手段」「第三判断手段」に相当する。
【図面の簡単な説明】
【０１３４】
【図１】画像表示装置１の斜視図である。
【図２】表示パネル１３の正面図である。
【図３】表示パネル１３のＡ−Ａ線（図２）における矢視方向断面図である。
【図４】表示パネル１３のＢ−Ｂ線（図２）における矢視方向断面図である。
【図５】像形成動作時、及びリフレッシュ動作時における電極電圧を示す模式図である。
【図６】画像表示装置１の電気的構成を示す模式図である。
【図７】入力受付処理のフローチャートである。
【図８】電界監視処理のフローチャートである。
【図９】第一変形例における再描画処理のフローチャートである。
【図１０】第二変形例における画像表示装置１０の斜視図である。
【図１１】第二変形例における表示領域割当テーブルを示す模式図である。
【符号の説明】
【０１３５】
１、１０  画像表示装置
２      枠部
３      表示部
５，６  帯電粒子
７      分散媒
１１    制御部
１３    表示パネル
１６    フラッシュメモリ
１８    操作ボタン
２１、２２、２３、２４  センサ
５１、５２、５３、５４  センサ
５５、５６、５７、５８  表示領域
１３１  第一基板
１３２  第二基板
１３４  第一電極
１３８  第二電極
【図１】
2010139667.tif 000003
【図２】
2010139667.tif 000004
【図３】
2010139667.tif 000005
【図４】
2010139667.tif 000006
【図５】
2010139667.tif 000007
【図６】
2010139667.tif 000008
【図７】
2010139667.tif 000009
【図８】
2010139667.tif 000010
【図９】
2010139667.tif 000011
【図１０】
2010139667.tif 000012
【図１１】
2010139667.tif 000013